(57)【特許請求の範囲】
【請求項１】
脱穀装置（９）の側方にフィードチェーン（７）を配置して、機体前部の刈取装置（８）から搬送された穀稈を挟持して脱穀を行い、排藁を後方に搬送する構成のコンバインにおいて、前記フィードチェーン（７）を巻回する複数のスプロケットを支持するフレーム（３５）の後部を、機体に枢支するとともに、該フレーム（３５）を機体に固定するためのロック機構（１３）を設け、該ロック機構（１３）の操作部であるハンドル（３８）を、該フィードチェーン（７）の駆動スプロケット（３０ｄ）近傍に配置し、前記フィードチェーン（７）の外側側方を前側カバー（５３ａ）と、後側カバー（５３ｂ）とからなるフィードチェーンカバー（５３）で覆い、該前側カバー（５３ａ）と後側カバー（５３ｂ）は独立して着脱可能とし、前記ロック機構（１３）の操作部を、前後に分割したフィードチェーンカバー（５３）の前側カバー（５３ａ）で覆ったことを特徴するコンバイン。
【請求項２】
請求項１記載のコンバインにおいて、前記ロック機構（１３）は、横フレーム（３５ａ）に回動可能に並設する連動杆（３６）と、該連動杆（３６）に備える係合フック（３７）と、連動杆（３６）に固設するハンドル（３８）と、から構成し、前記係合フック（３７）は機体側係合部（４４）と係合する構成としたことを特徴とするコンバイン。
【請求項３】
請求項２記載のコンバインにおいて、前記機体側係合部（４４）を、脱穀装置（９）の扱胴（２０）を軸装する受網支持体（４８）の、穀稈の入り口側及び出口側の補強フレーム（７１・７２・７３）に一体的に構成したことを特徴とするコンバイン。
【発明の詳細な説明】
【０００１】
【発明の属する技術分野】
本発明はコンバインの前部に配置し、刈取装置で刈り取った穀稈を受け継いで脱穀装置に搬送するフィードチェーンの、支持及びフィードチェーンを覆うカバーの構成に関する。
【０００２】
【従来の技術】
従来のコンバインの構成として、扱室の外側側方に穀稈挟持搬送供給装置を配し、刈取装置によって刈り取られた穀稈を受け継ぎ、穀稈の穂先側を脱穀装置の扱胴の上方若しくは下方を通過させて脱穀させるものがある。前記穀稈挟持搬送供給装置は、一般的に、フィードチェーンと、該フィードチェーンが巻回される複数のスプロケットと、フィードチェーンの上方に対向して備える挟扼杆等から構成されている。また、前記複数のスプロケットを、機体外側側方に向けて回動可能なフレームに設置することで、該フレームの開閉を行うことにより、フィードチェーンを巻回したままに、扱室を現出させることを可能にし、扱室内のメンテナンス性の向上を図ったものがある。さらに、前記フィードチェーンは、外部との接触から守るため、一枚で構成されるフィードチェーンカバーにより全体が覆われている。該フィードチェーンカバーを取り外すことで、フィードチェーンが現出される構成とし、フィードチェーンのメンテナンス、また、テンションの調整を可能としている。
【０００３】
【発明が解決しようとする課題】
しかし、前述のごとく、機体に対し回動可能なフレームで構成する場合は、フレームの剛性を向上させるため、閉じた状態、即ち、通常の刈り取り作業時においては、機体に対してしっかりと固定されることが望ましい。ただし、前述した扱室内のメンテナンス性は損なわれないようにするため、機体に対するフレームの固定の解除は、容易に行えることが望ましい。また、前述のごとく、フィードチェーンカバーが一枚で構成されていると、フィードチェーンカバー内側の一部、例えば、ホコリの発生しやすい穀稈挟持搬送供給装置の入り口部分のみをクリーニングしたい場合においても、フィードチェーンカバー全体を取り外さなければならない。このフィードチェーンカバーは、概して大型の一枚板に構成されているため、外した後の置き場に困ることがあり、作業の邪魔になることもある。また、金属製のカバーで構成すると重くなってしまい、取り扱いが面倒となっていたのである。
【０００４】
【課題を解決するための手段】
本発明の解決しようとする課題は以上のごとくであり、次に該課題を解決する為の手段を説明する。
【０００５】
請求項１においては、脱穀装置（９）の側方にフィードチェーン（７）を配置して、機体前部の刈取装置（８）から搬送された穀稈を挟持して脱穀を行い、排藁を後方に搬送する構成のコンバインにおいて、前記フィードチェーン（７）を巻回する複数のスプロケットを支持するフレーム（３５）の後部を、機体に枢支するとともに、該フレーム（３５）を機体に固定するためのロック機構（１３）を設け、該ロック機構（１３）の操作部であるハンドル（３８）を、該フィードチェーン（７）の駆動スプロケット（３０ｄ）近傍に配置し、前記フィードチェーン（７）の外側側方を前側カバー（５３ａ）と、後側カバー（５３ｂ）とからなるフィードチェーンカバー（５３）で覆い、該前側カバー（５３ａ）と後側カバー（５３ｂ）は独立して着脱可能とし、前記ロック機構（１３）の操作部を、前後に分割したフィードチェーンカバー（５３）の前側カバー（５３ａ）で覆ったものである。
【０００６】
請求項２においては、請求項１記載のコンバインにおいて、前記ロック機構（１３）は、横フレーム（３５ａ）に回動可能に並設する連動杆（３６）と、該連動杆（３６）に備える係合フック（３７）と、連動杆（３６）に固設するハンドル（３８）と、から構成し、前記係合フック（３７）は機体側係合部（４４）と係合する構成としたものである。
【０００７】
請求項３においては、請求項２記載のコンバインにおいて、前記機体側係合部（４４）を、脱穀装置（９）の扱胴（２０）を軸装する受網支持体（４８）の、穀稈の入り口側及び出口側の補強フレーム（７１・７２・７３）に一体的に構成したものである。
【０００８】
【発明の実施の形態】
次に、本発明の実施の形態を、図面に基づいて説明する。
【０００９】
図１は本発明を適用するコンバインの右側面図、図２は同じく平面図、図３はフィードチェーン及びフレームの構成を示す右側面図、図４は同じく駆動スプロケットの位置での正面断面図、図５は駆動スプロケットにおける駆動伝達ギアケースとの連結構造を示す断面図、図６はフィードチェーン及びフレームの回動支点フレームの位置での後面断面図、図７は扱胴と連動杆との取り合いを示す図、図８は受網支持体の正面図、図９は同じく後面図、図１０は前側カバーを取り外し、フィードチェーンと後側カバーを一体として開かせる状態を示す図、図１１は排藁挟扼ガイドの構成を示す平面図、図１２は同じく右側面図である。 また、以下の説明中において、前後方向は、機体進行方向及び反機体進行方向を基準とし、左右方向は、機体進行方向における左右方向を基準とする。さらに、上下方向は、機体の上下方向を基準とする。
【００１０】
まず、図１、図２においてコンバインの全体構成から説明すると、クローラ式走行装置１上に機体フレーム２を載置し、該機体フレーム２前端に引起し・刈取装置８を昇降可能に配設し、引起し・刈取装置８は、前端に分草板３を突出して穀稈を分草し、その後部に引起しケース４を立設して該引起しケース４より突出したタインの回転により穀稈を引き起こして、分草板３後部に配設した刈刃５にて株元を刈り取り、上部搬送装置、下部搬送装置、縦搬送装置６にて後方へ搬送し、この縦搬送装置６の上端から株元がフィードチェーン７に受け継がれて脱穀装置９内に穀稈を搬送し、該フィードチェーン７後端には排藁搬送装置１６が配設され、排藁搬送装置１６後部下方に配設した排藁カッター装置１７にて、搬送されてきた排藁を切断して圃場に放出している。前記脱穀装置９の側部には選別後の精粒を貯留するグレンタンク１２が配設され、該グレンタンク１２前部には運転部１９が配設されている。
【００１１】
前記機体フレーム２に前後方向に軸芯を有する扱胴２０と送塵口処理胴２１とを横架して脱穀装置９を構成し、この下方に揺動選別装置を配設している。尚、前記扱胴２０及び送塵口処理胴２１の上方は脱穀カバー４１によって被装され、該脱穀カバー４１のグレンタンク１２側端部が機枠に枢支され、脱穀カバー４１の外側を上方に回動させて扱胴２０内部のメンテナンス作業を行うようにしている。
【００１２】
また、前記揺動選別装置や一番コンベアや二番コンベア等を駆動するためのプーリー、ベルト等より成る動力伝達部がフィードチェーン７下方に配設され、この動力伝達部は側部カバー４３によって被装されている。
【００１３】
そして、前記扱胴２０の左側方にフィードチェーン７が配置され、前部を刈取装置８後部の側方に配置し、前記排藁搬送装置１６の前側方に延出して穀稈を受け継ぐようにしている。
【００１４】
次に、フィードチェーン７及びこれを支持するフレーム３５の構成について説明する。図３乃至図６に示すごとく、フィードチェーン７は、フレーム３５に備える複数のスプロケットに巻回され、前記フレーム３５の横フレーム３５ａは、機体側係合部４４と係合するロック機構１３を有する。
【００１５】
該フレーム３５は、側面視において前後方向に水平な横フレーム３５ａと、該横フレーム３５ａの前端で交わり後方に向かって上り勾配を形成する斜フレーム３５ｂと、横フレーム３５ａの後端部に立設する回動支点フレーム３５ｃ及び補強フレーム３５ｄより、側面視略直角三角形状を構成している。
【００１６】
前記回動支点フレーム３５ｃは、機体側に固設された後面視略「コ」字側の支持フレーム１１に備える枢支筒１４・１４に、枢支ピン１５・１５を挿入することで、支持フレーム１１に対し回動可能としている。
【００１７】
また、前記フレーム３５において、脱穀装置９側には、隔壁２２・２２を設け、脱穀装置９内の空間と、フィードチェーン７が備えられる空間を隔離している。
【００１８】
また、斜フレーム３５ｂの前端及び後端には、従動スプロケット３０ａ・３０ｂが備えられている。更に、斜フレーム３５ｂの中途部から斜め下側斜め前方に向かって、アジャスタ２３を延出し、該アジャスタ２３と、一端に回動軸を設けた回動アーム２４の端部に軸支されたテンションスプロケット３０ｃとを、スプリング２５で連結する。
【００１９】
また、前記横フレーム３５ａの中途部においては、ステー２６を下方に向けて垂設し、該ステー２６の下方に軸受２８・２８により軸支される回転軸２７には、駆動スプロケット３０ｄを固定している。
【００２０】
図４及び図５に示すごとく、該回転軸２７は、駆動スプロケット３０ｄとは反対側の端部に備えた係合部３２を、機体側に備えた駆動伝達ギアケース２９より取り出す駆動部係合部３１に嵌装している。図５に示すごとく、前記係合部３２は、嵌装時における側面視において略三角形を形成し、一方で、駆動部係合部３１は、円形の嵌合孔３３を構成する。そして、該嵌合孔３３には、三本の係合ピン３４・３４・・・を、前記係合部３２の三角形状の頂点の配置に一致するように配設する。こうして、係合部３２を嵌合孔３３に挿嵌した状態において、駆動部係合部３１が回転すると、係合ピン３４・３４・・・が係合部３２に係止して、回転軸２７が回転する構成となっている。以上の従動スプロケット３０ａ・３０ｂ、テンションスプロケット３０ｃ、及び駆動スプロケット３０ｄに、フィードチェーン７を巻回し、駆動スプロケット３０ｄの回転により、フィードチェーン７が回転される構成となっている。
【００２１】
そして、以上ごとく、各スプロケット３０ａ・３０ｂ・３０ｃ・３０ｄと、フィードチェーン７とを、フレーム３５に支持する構成とし、該フレーム３５を機体本体側の支持フレーム１１に対して回動して、フィードチェーン７が一体となって回動開閉されるようになっている。
【００２２】
次に、ロック機構１３の詳細について説明する。図３、図４、図６及び図７に示すごとく、該ロック機構１３は、横フレーム３５ａに回動可能に並設する連動杆３６と、該連動杆３６に備える係合フック３７・３７と、連動杆３６に固設するハンドル３８と、から構成し、前記係合フック３７・３７は機体側係合部４４と係合するように構成している。
【００２３】
前記横フレーム３５ａには、前後方向の二箇所に支持ステー４５・４５が載置され、さらに、該支持ステー４５・４５には、枢支ステ−４６・４６が延出されている。そして、前後方向二箇所に配置される枢支ステ−４６・４６に対して、前記連動杆３６を枢支する。即ち、枢支ステ−４６・４６を連動杆３６によって橋架するような構成としている。
【００２４】
更に、連動杆３６の前後軸端には、係合フック３７・３７が固設されており、連動杆３６を回転させることにより、係合フック３７・３７が連動杆３６を回動中心として首を振るようになっている。また、係合フック３７・３７において、連動杆３６から遠い側には、係合凹部４７が形成され、該係合凹部４７が、機体側に設けた係合部（係合ピン）４４に係合するようになっている。
【００２５】
該機体側係合部４４は、図７に示す右側面視のごとく、扱胴２０等を支持する受網支持体４８の両側であって、それぞれ前側及び後側に向かって突設し、前記係合フック３７・３７の係合凹部４７・４７と係合することにより、連動杆３６を受網支持体４８に係合（固定）する構成としている。連動杆３６は、フレーム３５に対し枢支ステ−４６等を介して枢結されているため、連動杆３６の支持体４８との係止により、フレーム３５が支持体４８に係合（固定）されることになってロックされる。
【００２６】
尚、該受網支持体４８においては、図６及び図７に示すごとく、受網支持体４８における藁の排出側、即ち、扱胴２０の後端側には、補強板５９が配設され、支持体４８の剛性を向上している。また、機体側係合部４４の配置は、機体本体側に構成していればよく、扱胴２０の受網支持体４８に限定されるものではない。
【００２７】
更に、図６乃至図９に示すごとく、前記機体側係合部４４を、脱穀装置の扱胴２０を軸装する受網支持体４８の穀稈の入り口側及び出口側の補強フレーム７１・７２・７３に一体的に構成している。
【００２８】
このように構成することにより、フィードチェーン７や複数の歯車を備えることで大きな重量を有するフレーム３５を受網支持体４８に係止する構成としても、受網支持体４８が補強されているので、変形することがなく、扱胴２０の軸心がぶれるといった不具合が生じることもない。また、該補強フレーム７１・７２・７３に前記機体側係合部４４を一体的に備えることで、従前の受網支持体４８の構成を保ったままにして、即ち、従来の受網支持体４８に補強フレーム７１・７２・７３を溶接固定などするだけで、本発明の構成を実施することができるので、汎用性を備えたものとなっているのである。また、機体側係合部４４の損傷等といった不具合が生じた場合にも、補強フレーム７１・７２・７３の交換で対応できるといったメンテナンス性をも考慮した構成となっているのである。
【００２９】
補強フレーム７１・７２・７３の具体的な構成については、図８に示す、入り口側においては、受網支持体４８の上下方向に補強フレーム７１を備え、左右方向には下部には、補強フレーム７２を備える構成とし、受網支持体４８の上下方向及び左右方向での剛性を向上させる構成とした。一方、図９に示す、出口側においては、扱胴２０の円形面に沿わせるように、一本の枠体を略「Ｌ」字状に曲げて、後面視において、「Ｌ」字を左右反転させた状態で受網支持体４８に固設し、受網支持体４８の剛性を向上させる構成とした。
【００３０】
次に、図３に示すごとく、ロック機構１３の操作部は、駆動スプロケット３０ｄの近傍に配した。このようにして、フィードチェーン７の駆動部である駆動スプロケット３０ｄの位置において、フレーム３５を機体本体（機体側係合部４４）と係合させることにより、駆動スプロケット３０ｄの位置におけるフレーム３５の剛性を強化することができるのである。さらに、この配置構成は、駆動部におけるフレーム３５の振動を抑える点からも有効である。
【００３１】
以上がロック機構の構成の詳細であって、次に、前記ハンドル３８の操作におけるフレーム３５と支持体４８との係合及び係合の解除について説明する。まず、係合解除の操作について説明すると、図４に示すごとく、該ハンドル３８は、連動杆３６に固設されているため、ハンドル３８を持ち上げる方向に連動杆３６を回動させると、該連動杆３６に固設した係合フック３７・３７が、係合凹部４７・４７を下側に移動させる方向に回動するので、該係合凹部４７・４７と、機体側係合部４４・４４との係合が解かれる。即ち、フレーム３５と支持体４８の係合（固定）が解除され、フレーム３５の回動が可能となる。
【００３２】
次に、係合の操作について説明すると、フレーム３５を支持体４８に近接させ、即ち、フレーム３５を固定する位置まで回動させ、ハンドル３８を上側に回動した状態で係合フック３７・３７の係合凹部４７・４７を下側に向け、この状態から、ハンドル３８を下側に向けて回動させることにより、係合凹部４７・４７が上側に向けて回動し、係合フック３７・３７と係合凹部４７・４７が係合して、フレーム３５と支持体４８が係合される。
【００３３】
また、図４に示すごとく、ハンドル３８は、前記ステー２６に対して引張りバネ４９を介して連結されており、該引張りバネ４９の弾性力により、図４において、ハンドル３８が常時時計回りに回動する方向に付勢されるようになっている。このことから、係合フック３７・３７が、係合凹部４７・４７を上側方向、即ち、フレーム３５を支持体４８に固定する方向に常時付勢され、フレーム３５の支持体４８との固定状態が維持されるようになっている。
【００３４】
次に、フィードチェーンカバー５３の構成について説明する。図１及び図８に示すごとく、前記フィードチェーンカバー５３は、前側カバー５３ａと、後側カバー５３ｂと、から構成し、両カバーは独立して着脱可能としている。
【００３５】
まず、前側カバー５３ａについて説明すると、図３に示すごとく、前側カバー５３ａは、フレーム３５の前側部分、即ち、従動スプロケット３０ａ、テンションスプロケット３０ｃ、駆動スプロケット３０ｄ、及びハンドル３８が配置される範囲を覆っている。また、図４に示すごとく、外側側面の二箇所に着脱フック５４・５４を配し、該着脱フック５４・５４の内側のフック５４ａ・５４ａを、斜フレーム３５ｂより延出した係止部５５・５５に引っ掛けるようにして、フレーム３５に対して固定が行われる。
【００３６】
さらに、図４に示すごとく、前側カバー５３ａの上下方向中途部、及び最下部には載置フック５６・５６を構成し、中途部においてはステー２６に、最下部においては、機枠４０より取り出すステー５８に、係止される構成としている。
【００３７】
次に、後側カバー５３ｂについて説明すると、図３に示すごとく、前記後側カバー５３ｂは、前記フレーム３５に着脱する構成としている。こうして、後側カバー５３ｂは、フレーム３５の後側部分、即ち、前側カバー５３ａの後側を覆うようにしている。そして、該後側カバー５３ｂは、前側カバー５３ａと同様、外側側面の二箇所に着脱フック５４・５４を配し、該着脱フック５４・５４の操作により、フレーム３５に対しての固定が行われる。
【００３８】
さらに、図３に示すごとく、横フレーム３５ａより係止部５７・５７を垂下し、該係止部５７・５７に後側カバー５３ｂの中途部に設ける載置フック（不図示）を係止する構成としている。即ち、後側カバー５３ｂにおいては、フレーム３５に対してのみの係合となっており、前述したフレーム３５の開閉動作においては、フレーム３５と一体となって開閉することができる構成となっている。
【００３９】
以上の構成において、図３に示すごとく、前側カバー５３ａを取り外すと、従動スプロケット３０ａ、テンションスプロケット３０ｃ、駆動スプロケット３０ｄ、及びハンドル３８が現出する構成としている。こうして、ホコリの発生しやすいフィードチェーン７の入り口部分のみをクリーニングする場合や、テンションスプロケット３０ｃを調節する場合には、前側カバー５３ａのみを取り外すことで、簡単に行うことができる。
【００４０】
また、図１０に示すごとく、前側カバー５３ａを取り外すと、ハンドル３８が現出するので、ハンドル３８を操作してロックを解除して、フレーム３５を開くことができ、扱胴が詰まった場合等のメンテナンスも容易にできるようになる。また、この作業の際には、後側カバー５３ｂがフレーム３５とともに開くので、後側カバー５３ｂを取り外す手間はかからない。
【００４１】
また、後側カバー５３ｂのみの脱着も可能であり、取り外すことを必要とするカバーのみを取り外すことが可能となることから、作業時間の短縮を図ることができ、作業に要する労力を軽減できる。また、フィードチェーンカバーは分割されて小さくなるので、取り扱い易く収納も容易にできるようになるのである。
【００４２】
次に、フィードチェーン７により脱穀装置を通過した後の穀稈、即ち、排藁を排藁カッター装置１７へ導く排藁搬送装置１６の構成について説明する。図１に示すごとく、穀稈の搬送において、フィードチェーン７の下流には、排藁搬送装置１６が備えられ、扱胴２０により脱穀された後の排藁を、機体最後部に配置する排藁カッター装置１７まで搬送している。そして、図１１及び図１２に示すごとく、該排藁搬送装置１６は、複数本の排藁挟扼ガイド６０ａ・６０ｂ・６０ｃと、該排藁挟扼ガイド６０ａ・６０ｂ・６０ｃの上方に備える排藁搬送チェーン７０で構成し、排藁挟扼ガイド６０ａ・６０ｂ・６０ｃと、排藁搬送チェーン７０の間に、前記フィードチェーン７より受け継ぐ排藁７５を挟持して、排藁搬送チェーン７０の駆動により、排藁カッター装置１７まで排藁を搬送している。
【００４３】
また、排藁挟扼ガイド６０ａ・６０ｂ・６０ｃは、４番樋６８の上側前方であって、側面視において、排藁の搬送側が略水平となるように構成している。そして、フィードチェーン７により後方に送られる排藁を排藁カッター装置１７へ導くべく、排藁搬送チェーン７０とともに、排藁７５の案内方向を、斜め方向（平面視略４５度）となるように構成している。
【００４４】
さらに、各排藁挟扼ガイド６０ａ・６０ｂ・６０ｃは、機体本体側に枢支された回動軸６１に支持される構成としている。まず、排藁挟扼ガイド６０ａは、ステー６４を介して回転軸６１に連結されている。また、排藁挟扼ガイド６０ｃは、ホルダ６６を介して、回転軸６１と連結されている。排藁挟扼ガイド６０ｃにおけるホルダ６６の位置には、下方に向けて凸部６９が延出され、凸部６９の下端は、ホルダ６６の下部に軸支される。そして、該凸部６９にコイルバネ６７を軸装し、該コイルバネ６７の弾性力により、排藁挟扼ガイド６０ｃを上方向に付勢している。このようにして、排藁挟扼ガイド６０ｃを、その後端が常に上方向に向くように付勢することで、排藁７５を機体の側部から、中央部へ、即ち、排藁カッター装置１７へ確実に案内されるように構成している。また、排藁挟扼ガイド６０ｂは、前記ホルダ６６に備えるステー６５に支持される。このようにして、排藁挟扼ガイド６０ｂは、ステー６５及びホルダ６６を介して回転軸６１と連結している。
【００４５】
以上のごとく、全ての排藁挟扼ガイド６０ａ・６０ｂ・６０ｃが、回動軸６１に支持される構成としているので、回転軸６１を図１２の矢印Ｌに示す方向へ回転させると、排藁挟扼ガイド６０ａ・６０ｂ・６０の後端が上方へ向けられる。こうして、排藁挟扼ガイド６０ａ・６０ｂ・６０ｃの下部に溜まった藁クズを除去する作業などをする際には、排藁挟扼ガイド６０ａ・６０ｂ・６０ｃが邪魔になることがなく、４番樋６８付近のクリーニング作業が用意に行えるようになる。
【００４６】
【発明の効果】
本発明は以上のごとく構成したので、次のような効果を奏するのである。
請求項１のごとく、脱穀装置（９）の側方にフィードチェーン（７）を配置して、機体前部の刈取装置（８）から搬送された穀稈を挟持して脱穀を行い、排藁を後方に搬送する構成のコンバインにおいて、前記フィードチェーン（７）を巻回する複数のスプロケットを支持するフレーム（３５）の後部を、機体に枢支するとともに、該フレーム（３５）を機体に固定するためのロック機構（１３）を設け、該ロック機構（１３）の操作部であるハンドル（３８）を、該フィードチェーン（７）の駆動スプロケット（３０ｄ）近傍に配置し、前記フィードチェーン（７）の外側側方を前側カバー（５３ａ）と、後側カバー（５３ｂ）とからなるフィードチェーンカバー（５３）で覆い、該前側カバー（５３ａ）と後側カバー（５３ｂ）は独立して着脱可能とし、前記ロック機構（１３）の操作部を、前後に分割したフィードチェーンカバー（５３）の前側カバー（５３ａ）で覆ったので、ロックを解除することにより、フレームと機体側との係合を解いて、フィードチェーンを巻回したままに、フレームを回動させることが可能となる。そして、扱室（扱胴）を現出させてクリーニング等の作業をした後は、再び、フレームを閉じる方向へ回動してロックすることで、フレームと機体側を係合させることができ、フィードチェーンを駆動する状態、即ち、コンバインにおける刈取作業が可能な状態に戻すことができる。
そして、フレームを機体側にロックした状態、即ち、刈取作業時においては、フレームを機体に対してしっかりと固定することができる。
また、フィードチェーンの駆動部である駆動スプロケットの近傍において、フレームを機体本体と係合させる構成であるので、駆動スプロケットの位置におけるフレームの剛性を強化することができる。さらに、この配置構成は、駆動部におけるフレームの振動を抑える点からも有効である。
【００４７】
また、フィードチェーンカバー（５３）を構成する前側カバー（５３ａ）と後側カバー（５３ｂ）の中で、必要なカバーのみを取り外すことが可能となり、作業時間を短縮し、作業に要する労力を軽減できる。
【００４８】
また、前記ロック機構の操作部を、前後に分割したフィードチェーンカバーの前側カバーで覆ったので、小ホコリの発生しやすいフィードチェーンの入り口部分のみをクリーニングする場合や、テンションスプロケットを調節する場合には、前側カバーのみを取り外すことができ、作業時間を短縮し、作業に要する労力を軽減できる。
また、フレームの開閉作業においては、後側カバーがフレームとともに開くので、後側カバーを取り外す手間がかからないのである。
【００４９】
請求項２に記載のごとく、前記ロック機構は、横フレームに回動可能に並設する連動杆と、該連動杆に備える係合フックと、連動杆に固設するハンドルと、から構成し、前記係合フックは機体側係合部と係合する構成したので、ハンドルを上下方向に操作するといった簡単な操作で、フレームと機体本体との係合及び係合の解除（ロック／ロック解除）が行え、扱室のメンテナンス性が損なわれることがない。
【００５０】
請求項３に記載のごとく、前記機体側係合部を、脱穀装置の扱胴を軸装する受網支持体の穀稈の入り口側及び出口側の補強フレームに一体的に構成したので、フィードチェーンや複数の歯車を備えることで大きな重量を有するフレームを受網支持体に係止する構成としても、受網支持体が補強されているので、変形することがなく、扱胴の軸心がぶれるといった不具合が生じることもない。
また、該補強フレームに前記機体側係合部を一体的に備えることで、従前の受網支持体の構成を保ったままにして、即ち、従来の受網支持体に補強フレームを溶接固定などするだけで、本発明の構成を実施することができるので、汎用性を備えたものとなっているのである。
そして、機体側係合部の損傷等といった不具合が生じた場合にも、補強フレームの交換で対応できるといったメンテナンス性をも考慮した構成となっているのである。
【図面の簡単な説明】
【図１】  本発明を適用するコンバインの右側面図である。
【図２】  同じく平面図である。
【図３】  穀稈挟持搬送供給装置の構成を示す右側面図である。
【図４】  同じく駆動スプロケットの位置での正面断面図である。
【図５】  駆動スプロケットにおける駆動伝達ギアケースとの連結構造を示す断面図である。
【図６】  穀稈挟持搬送供給装置の回動支点フレームの位置での後面断面図である。
【図７】  扱胴と連動杆との取り合いを示す図である。
【図８】  受網支持体の正面図である。
【図９】  同じく後面図である。
【図１０】  前側カバーを取り外し、フィードチェーンと後側カバーを一体として開かせる状態を示す図である。
【図１１】  排藁挟扼ガイドの構成を示す平面図である。
【図１２】  同じく右側面図である
【符号の説明】
７            フィードチェーン
１３            ロック機構
３５            フレーム
３５ａ            横フレーム
３６            連動杆
３７            係合フック
３８            ハンドル
４４            機体側係合部
５３            フィードチェーンカバー
５３ａ          前側カバー
５３ｂ          後側カバー
【図１】
0004499954.tif 000002
【図２】
0004499954.tif 000003
【図３】
0004499954.tif 000004
【図４】
0004499954.tif 000005
【図５】
0004499954.tif 000006
【図６】
0004499954.tif 000007
【図７】
0004499954.tif 000008
【図８】
0004499954.tif 000009
【図９】
0004499954.tif 000010
【図１０】
0004499954.tif 000011
【図１１】
0004499954.tif 000012
【図１２】
0004499954.tif 000013